(57)【要約】【課題】本発明によれば、アンカーシステム部品と方立との間の公差を無くすための調整を有しなくてもよい。【解決手段】本発明は、カーテンウォール方立アンカーシステムを提供する。そのうち、アンカー装置は、進出方向及び左右方向の位置調整によって乾燥したコンクリート床スラブに正確に設置できる。方立連結部は、アンカー装置と方立とを接合することで、アンカー装置を介して方立の反力を建物構造に伝送する。また、方立連結部は、方立に可摺動に接合され、方立の長さ方向に沿って摺動できる。方立連結部を方立に沿ってコンクリート床スラブのアンカー装置に摺動することで、上下方向の位置調整機能を達成できる。【選択図】図１
2020533507.tif 000002
【特許請求の範囲】
【請求項１】
アンカー装置及び方立連結部を有し、
前記アンカー装置は、コンクリート床スラブに固定され、内部側表面を有し、
前記方立連結部は、ウエブ部と、前記ウエブ部に垂直し、前記内部側表面に接する外部側表面を有する第１脚部とを有し、
前記方立連結部は、方立に固定され、前記第１脚部と前記方立との間に一定の長さを有することを特徴とする、
方立アンカーシステム。
【請求項２】
前記方立連結部は、第２脚部をさらに有し、
前記第２脚部は、前記ウエブ部に垂直し、前記アンカー装置の外部側表面に接する内部側表面を有することを特徴とする、請求項１項に記載の方立アンカーシステム。
【請求項３】
前記第１脚部が前記ウエブ部と一体化構造とすることを特徴とする、請求項１項に記載の方立アンカーシステム。
【請求項４】
前記方立連結部は単一の一体化部材であることを特徴とする、請求項１項に記載の方立アンカーシステム。
【請求項５】
アンカー装置、方立連結部、及びアダプタを有し、
前記アンカー装置は、コンクリート床スラブに固定され、内部側表面を有し、
前記方立連結部は、ウエブ部と、前記ウエブ部に垂直し、前記内部側表面に接する外部側表面を有する第１脚部とを有し、
前記方立連結部は、方立に接合するための凹孔を有するアダプタに固定され、
前記方立連結部は、前記第１脚部と前記アダプタの間に一定の長さを有することを特徴とする、
方立アンカーシステム。
【請求項６】
前記方立はスティック式方立であることを特徴とする、請求項５項に記載の方立アンカーシステム。
【請求項７】
前記方立はユニット式方立であることを特徴とする、請求項５項に記載の方立アンカーシステム。
【請求項８】
前記方立連結部は、第２脚部をさらに有し、
前記第２脚部は、前記ウエブ部に垂直し、前記アンカー装置の外部側表面に接する内部側表面を有することを特徴とする、請求項５項に記載の方立アンカーシステム。
【請求項９】
前記第１脚部が前記ウエブ部と一体化構造とすることを特徴とする、請求項５項に記載の方立アンカーシステム。
【請求項１０】
前記方立連結部は単一の一体化部材であることを特徴とする、請求項５項に記載の方立アンカーシステム。
【請求項１１】
アンカー装置の固定寸法、方立連結部の固定寸法、及び建物の特徴と方立の固定距離に基づいて、前記建物の特徴に対する前記アンカー装置の進出位置を決定する工程と、
前記進出位置で前記アンカー装置を乾燥したコンクリート床スラブに固定する工程と、
ウエブ部及び前記ウエブ部に垂直して外部側表面を有する第１脚部を有する前記方立連結部と前記方立を接合する工程と、
前記方立連結部の前記外部側表面を前記アンカー装置の内部側表面に接することで、前記方立連結部と前記アンカー装置を接合する工程とを有することを特徴とする、
方立を乾燥したコンクリート床スラブに締結する方法。
【請求項１２】
前記アンカー装置の固定工程の前に、前記アンカー装置の横位置を決定する工程をさらに有し、
前記アンカー装置の固定工程において、前記横位置で前記アンカー装置を前記乾燥したコンクリート床スラブに固定する工程をさらに有することを特徴とする、
請求項１１項に記載の方法。
【請求項１３】
前記アンカー装置は、凹孔をさらに有し、
前記方立連結部と前記方立を接合する工程において、前記方立連結部の前記ウエブ部を前記凹孔に設ける工程をさらに有することを特徴とする、請求項１１項に記載の方法。
【請求項１４】
前記方立連結部は、前記第１脚部と前記方立との間に一定の長さを有することを特徴とする、請求項１１項に記載の方法。
【請求項１５】
前記方立連結部は単一の一体化部材であることを特徴とする、請求項１１項に記載の方法
【請求項１６】
前記進出位置で他のアンカー装置を前記乾燥したコンクリート床スラブに固定する工程をさらに有することを特徴とする、請求項１１項に記載の方法。
【発明の詳細な説明】
【技術分野】
【０００１】
本発明は、建物の外部カーテンウォール方立アンカーシステムの改良案に関する。
【背景技術】
【０００２】
本出願は、米国特許法典第３５巻第１１９（ｅ）の下で、２０１７年９月６日に出願された米国仮出願第６２／５５４，８２０号の優先権を主張する。本発明は、アンカー装置を乾燥したコンクリート床スラブに固定する、建物の外部カーテンウォール方立アンカーシステムの改良案に関する。また、以下の特許文献に関与し、それらの全体が本明細書中で参考として援用される。
【先行技術文献】
【特許文献】
【０００３】
【特許文献１】米国特許米国特許公報特許第９，６８３，３６７号。
【特許文献２】米国特許公開第２０１７／０２４１１３３号。
【０００４】
業界でよく知られているように、コンクリート床スラブの辺縁位置の欠陥、及びコンクリートを注ぐ時に床スラブに嵌まり込む方立アンカーシステムを正確に設置できないため、カーテンウォール方立アンカーシステムは、３つの方向の公差調整機能を備えなければならない。第１方向は、方立の長さ方向に平行する方向であり、上下方向と称する。第２方向は、カーテンウォールの表面に垂直する方向であり、進出方向と称する。第３方向は、カーテンウォールの表面に平行し、且つ方立の長さ方向に垂直する方向であり、左右方向と称する。
【０００５】
床スラブへのアンカーシステムは、コンクリート床スラブを乾燥してから、方立の設置を行う。方立の設置は、先ず、床スラブ上に参考線を描く。前記参考線は、カーテンウォールの表面に平行し、設置位置にある方立の裏面から固定の距離を有し、方立アンカーシステムの進出位置を指示するために用いられる。また、方立の横方向（左右方向）の位置も参考線にマークされている。そして、方立（スティック式又は気圧作動式システム）又は半方立（組み合わせユニットの構成部分）をマークした方立線のおおよその位置に設置する。その後、３つの方向の公差調整、及び方立とアンカーシステムとの接合を行う。
【０００６】
米国特許公報特許第９，６８３，３６７号及び米国特許公開第２０１７／０２４１１３３号において、アンカー装置、方立ブリッジ及び方立締結部を有する方立アンカーシステムが開示されている。アンカー装置は建物構造体にロックされる（例えば、コンクリート床スラブに固定される）。方立ブリッジは、アンカー装置と方立締結部とを固定する。方立締結部は方立に固定される。
【０００７】
このようなシステムは、方立締結部を利用して、１対となるオスジョイント、メスジョイントによって方立に可摺動に接合されるため、上下方向の公差を自動に調整できる。また、方立締結部は、方立に沿って上下方向に摺動できる。そのため、方立締結部と方立とを接合し、方立締結部を床スラブ上のアンカー装置までスライドすることで、方立締結部を適切な上下位置に設置できる。方立の裏面のフランジと階にマークする参考線との理論的な距離をタグすることによって制御され、方立締結部と方立ブリッジの間の相対的な進出位置を移動することで、進出方向の位置を調整できる。また、方立締結部と方立ブリッジとの間のボルトを締めることで、方立を最終的な進出位置に固定できる。床スラブにマークされる方立の中央に合わせるように方立を横方向に移動し、方立ブリッジとアンカー装置の間の相対的な左右位置を移動することで、左右方向の位置を調整できる。方立ブリッジをファスナーによってアンカー装置の耐荷重リップに固定することで、方立を最終的な左右位置に固定できる。上記第２及び第３方向の位置調整は、同時に行うことができるが、方立ごとに位置を調整しなければならない。そのため、非常に時間がかかる。
【発明の概要】
【発明が解決しようとする課題】
【０００８】
乾燥したコンクリート床スラブの進出位置及び左右位置に設置でき、方立とアンカー装置とを接合する時に公差を調整する必要がなく、且つファスナーを使用する必要がない方立アンカーシステムが求められている。方立を設置するだけで３つの方向の公差を自動的に調整できるため、現場の労働コストを節約できる。
【課題を解決するための手段】
【０００９】
本発明において、アンカー装置を乾燥したコンクリート床スラブに設置し、一体化した方立連結部によってアンカー装置と方立を締結する。アンカー装置は、コンクリート床スラブが乾燥してから設置できる。そのため、建物の特徴（例えば、スパンドレル柱線）及び方立の固定距離に基づく参考線を利用することで、進出位置に正確に設けられる。参考線に上記方立の中央位置がマークされているため、アンカー装置を適切な左右位置に設ける。コンクリート床スラブが乾燥した後に、アンカー装置を進出位置に固定することで、進出方向の公差を調整できる。そのため、方立アンカーシステムの部品と方立との間の進出位置の調整可能性が必要な要件ではない。以下、米国米国特許公報特許第９，６８３，３６７号及び米国特許公開第２０１７／０２４１１３３号に開示される、方立締結部と方立ブリッジを組み合わせた一体化部材を方立連結部と称する。一体化した方立連結部の使用によって、製造の押出工程及び方立アンカーシステムの設置を簡単化にすることができる。また、方立アンカーシステムの部品と方立との間の左右位置の調整可能性が必要な要件ではない。方立連結部及びアンカー装置は、それぞれの接続部品によって左右方向の移動を制限できる。そのため、ファスナーを使用する必要がない。方立連結部は、方立に可摺動に接合されることで、適切な上下位置に自動に設けられる。そのため、方立の設置において、３つの方向の公差を自動的に調整でき、別途に調整する必要がない。
【図面の簡単な説明】
【００１０】
【図１】気圧作動式方立に設けられる方立アンカーシステムを示す平面図である。
【図２】図１の方立アンカーシステムの部品を分解して示す等軸測視図である。
【図３】従来のスティック式方立に設けられるアダプタを有する方立アンカーシステムを示す平面図である。
【図４】従来のスティック式方立に設けられるアダプタを有する方立アンカーシステムの方立設置工程を示す側面図である。
【図５】図４の静荷重ブロックを有するアダプタを示す等軸測視図である。
【図６】従来のユニット式方立に設けられるアダプタを有する方立アンカーシステムを示す平面図である。
【図７】従来のユニット式方立に設けられる本発明のアダプタを有する方立アンカーシステムの方立設置工程を示す側面図である。
【図８】図７の静荷重ブロックを有するアダプタを示す等軸測視図である。
【図９】設置した方立アンカーシステムを示す平面図であり、前記方立アンカーシステムは、方立連結延長部を有し、床スラブの辺縁位置に対して公差が外れた状況に用いられる。
【図１０】延長部を有する方立アンカーシステムを示す平面図である。
【発明を実施するための形態】
【００１１】
本発明の実施例を理解するために、以下、いくつの実施例及び図面を開示しながら本発明の技術的な特徴を説明する。
【００１２】
本発明の方立アンカーシステムは、アンカー装置及び方立を有する。アンカー装置は、コンクリート床スラブに締結され、方立連結部によって方立に接続される。アンカー装置は、床スラブに固定される水平の第１脚部及び直立耐荷重リップを有する。前記耐荷重リップは、負風圧及び正風圧に耐えるように設計されている。アンカー装置は、コンクリートアンカー部によって乾燥したコンクリート床スラブに設置できる。
【００１３】
方立連結部は、１対となるオスジョイント、メスジョイントによって方立に可摺動に接合される。例えば、米国特許公開第２０１６／０１８６０３１号の内容を参考として本発明に援用する。方立連結部は、方立に接合され、且つ方立の長さ方向に沿って摺動できる。方立連結部は、方立の長さ方向に沿って摺動接合できるため、方立の頂部に接合して、さらに床スラブのアンカー装置まで摺動することで、上下方向の公差を自動的に調整できる。本発明によれば、上下位置の調整を行わなくても、アンカー装置及び床スラブに対して方立連結部を適切な上下位置に確保できる。
【００１４】
方立連結部は、静荷重力を方立からアンカー装置の水平表面、例えばアンカー装置の水平の第１脚部の水平表面、又はアンカー装置の耐荷重リップの水平表面に伝送できる。静荷重力は、床スラブの辺縁内の１箇所で方立からアンカー装置に伝送する。例えば、米国米国特許公報特許第９，６８３，３６７号に開示されるように、アンカー装置の揚圧力を最小化又は除去することで、より小さいコンクリートアンカー部を利用してアンカー装置を乾燥したコンクリート床スラブに締結できる。アンカー装置を乾燥したコンクリート床スラブに固定できるため、アンカー装置を方立に締結する際に適切な進出位置及び左右位置に設けられる。そのため、アンカー装置を適切な位置に固定するだけで、進出方向及び左右方向の公差を調整できる。よって、アンカーシステムの部品が調整可能性を有しなくてもよい。
【００１５】
直立連結部の外部側表面と、アンカー装置の耐荷重リップの内部側表面とを接することによって、方立連結部とアンカー装置を接合する。負風圧の状況では、表面同士の間に接触圧力を生じて負風圧に対抗する。アンカー装置を適切な位置に設けるだけで進出方向の公差を調整できるため、方立連結部は、進出方向の長さ調整機能を有しなくてもよい。そのため、方立連結部は、一定の長さを有する部材でもよく、複数の部品を組み立てたものでもよく、単一の一体化部材でもよい。
【００１６】
図１は、気圧作動式方立に設けられる方立アンカーシステムを示す平面図である。図２は、図１の方立アンカーシステムの部品を分解して示す等軸測視図である。方立アンカーシステム１０は、アンカー装置１６及び方立連結部１７を有する。
【００１７】
アンカー装置１６は、水平の第１脚部２０、及び直立耐荷重リップ２１を有する。アンカー装置１６は、コンクリートアンカー部１９を受け入れるためのファスナー孔２２を有する。アンカー装置１６は、コンクリートアンカー部１９によって乾燥した床スラブにロックされる。前記コンクリートアンカー部１９は、よく見られるコンクリートねじでもよい。耐荷重リップ２１は、好ましくは、方立連結部１７のウエブ部２４を受け入れるための幅「Ｂ」を有するノッチ２３を有する。ノッチ２３は、好ましくは、耐荷重リップ２１の中央に位置する。耐荷重リップ２１の厚さは寸法「Ｅ」である。
【００１８】
方立連結部１７によって方立１８とアンカー装置１６を接合することで、方立１８からの反力をアンカー装置１６に介して建物構造に転移できる。方立連結部１７はウエブ部２４を有する。ウエブ部２４は、設置する際にカーテンウォールの表面に垂直する方向（即ち、方立連結部１７の長さが進出方向に排列する）に排列する長さを有する。ウエブ部２４の厚さは、ノッチ２３の幅「Ｂ」よりやや小さい「Ｃ」である。
【００１９】
方立連結部１７は、それぞれウエブ部２４の近接端部（設置する時に前記端部が建物の内部に向う）に垂直して延伸する一体化した耐負風圧第１脚部２５、及び一体化した耐正風圧第１脚部２６を有する。耐負風圧第１脚部２５と耐正風圧第１脚部２６との間の隙間２７は、耐荷重リップ２１の厚さ「Ｅ」よりやや大きい間隔寸法「Ｇ」を有する。方立連結部１７とアンカー装置１６を接合する時に、方立連結部１７のウエブ部２４を耐荷重リップ２１のノッチ２３に接合することで左右位置を固定し、さらに耐荷重リップ２１を方立連結部１７の隙間２７に接合することで進出位置を固定する。
【００２０】
正風圧の状況では、耐正風圧第１脚部２６の内部側表面と耐荷重リップ２１の外部側表面との間の接触圧力が正風圧に対抗する。負風圧の状況下では、耐負風圧第１脚部２５の外部側表面と耐荷重リップ２１の内部側表面の間の接触圧力が負風圧に対抗する。
【００２１】
代替案として、正風圧耐荷重リップを有しない代替実施例が挙げられる。正風圧に対抗する代替案、例えば耐荷重リップ及び方立の裏面にブロックを挿入する代替案は、当業者にとって自明である。
【００２２】
方立連結部１７のウエブ部２４は、耐荷重リップ２１のノッチ２３に接合され、方立連結部１７の横方向（左右方向）変位に対抗する。よって、ファスナーを設けなくても方立連結部１７とアンカー装置１６を接合できる。代替案として、耐荷重リップ２１がノッチを有せず、方立連結部のウエブ部２４が耐荷重リップ２１に接合するためのノッチを有する例が挙げられる。このような実施例において、好ましくは、耐負風圧第１脚部２５を耐荷重リップ２１に固定するためのファスナーを有する。前記ファスナーは、方立連結部１７の横方向移動に対抗する。
【００２３】
ウエブ部２４の遠位端部（設置する時に前記端部が建物の内部に向う）において、方立連結部１７はウエブ部２４に垂直する脚部を有する。それぞれの脚部の端部にメスジョイント２８を有する。メスジョイント２８は、それに対応する方立１８のオスジョイント２９に可摺動に接合するように配置される。方立連結部と方立を接合する他の接面配置、例えば、方立連結部がオスジョイントを有し、且つ方立がメスジョイントを有する配置、又は米国特許公開第２０１６／０１８６０３１号に記載のその他の配置（参考として本発明に援用する）が挙げられる、それらは当業者にとって自明である。
【００２４】
静荷重に対抗するように締結位置を設計する場合、静荷重ブロック１７Ａを方立連結部の頂部に設け、さらに気圧作動式方立１８に固定される。静荷重ブロック１７Ａは、方立連結部１７と同じ接面配置を有し、方立１８のメスジョイント２９に接合するために用いられる。
【００２５】
コンクリート床スラブが乾燥した後、アンカー装置１６の適切な横方向（左右方向）及び進出位置を決定できる。そのため、アンカー装置１６を床スラブの適切な位置に固定することで、左右方向及び進出方向の公差を調整できる。
【００２６】
建築デザインによって規制する固定寸法を参考してアンカー装置１６の進出位置を決定する。例えば、建物図面において、カーテンウォールパネルと特定建物の特徴の固定距離が規制されている。コンクリート床スラブの実際位置に関わらず、前記固定距離が同じである。固定距離、カーテンウォールパネル、方立、方立連結部及びアンカー装置の固定寸法に基づいて、スパンドレル柱線（ｓｐａｎｄｒｅｌ  ｃｏｌｕｍｎ  ｌｉｎｅ）に対するアンカー装置の進出位置を推定できる。そのため、アンカー装置の固定寸法（例えば、アンカー装置の裏面の辺縁と耐荷重リップとの間の距離）、方立連結部の固定寸法（例えば、方立連結部の長さ）、及び建物の特徴と方立の固定距離（例えば、方立とスパンドレル柱線との間の距離）に基づいて、建物の特徴（例えば、スパンドレル柱線）に対するアンカー装置の進出位置を決定できる。
【００２７】
推定した位置に基づいて、カーテンウォールの表面に平行する参考線１１を床スラブにマークして、アンカー装置１６の裏面の辺縁位置を指示する。よって、建物の同じ側の方立の全てのアンカー装置を参考線１１に沿って排列できる。また、各方立１８の中心線位置１２を参考線１１にマークして、アンカー装置１６の左右位置を指示できる。そして、コンクリートアンカー部１９によってアンカー装置１６を床スラブの適切な位置に固定する。そのため、方立の設置において、別当に進出方向又は左右方向の公差を調整する必要がない。
【００２８】
線１３は、建物図面に描いてる理論的な床スラブの辺縁線である。方立１８の裏面に合わせた線１４は、最大許容範囲の外部側床スラブ線を示し、工事規定に規定される外側公差Ｄ１を有する。アンカー装置１６の耐荷重リップ２１の前表面に合わせた線１５は、最大許容範囲の内部側床スラブ線を示し、工事規定に規定される内側公差Ｄ２を有する。通常、規定寸法Ｄ１及びＤ２の大きさが同じであり、Ｄ１が正号で、Ｄ２が負号である。距離Ｄは、距離Ｄの範囲内にあり、且つ許容される実際の床スラブの辺縁位置を示す。方立連結部１７は、方立１８及びアンカー装置１６に接合した時に、線１４と線１５との間に距離「Ｄ」を有するように設計されている。実際の床スラブの辺縁位置は完璧な直線ではなく、「Ｄ」の空間内に曲がる可能性がある（言い換えると、線１４と線１５との間に位置する）。
【００２９】
工業上の習慣としては、１５階までの建物の進出公差が±１”（又は±２５ｍｍ）、１５階以上の建物の進出公差が±２”（又は±５０ｍｍ）と規定されている。方立連結部１７の深さが特定の「Ｄ」寸法に設計されているため、１５階までの建物に対して２”（又は±５０ｍｍ）の「Ｄ」を有するように方立連結部１７を設計する。また、１５階以上の建物に対して４”（又は±１００ｍｍ）の「Ｄ」を有するように方立連結部１７を設計する。しかしながら、参考線１１を理論的な床スラブの辺縁線１３の内側方向から離れることで、特定の「Ｄ」寸法を有する方立連結部は、「Ｄ」より小さい寸法を有する全ての状況に用いられる。
【００３０】
アンカー装置１６は、押出部材であることが好ましい。アンカー装置１６の押出工程は、以下の工程を有する。
（１）アンカー装置の幅と同じ長さ（寸法「Ａ」）に切断する。
（２）寸法「Ｂ」のノッチ幅を有する中央ノッチ２３を耐荷重リップ２１に設ける。
（３）図１に示すように、コンクリートアンカー部１９に用いられるファスナー孔２２を設ける。
【００３１】
方立連結部１７は、押出部材であることが好ましい。方立連結部１７の押出工程において、望ましい方立連結部の高さ「Ｈ」に切断する。
【００３２】
普通、方立設置工程は、以下の工程を有する。
（１）設置した方立の接続管によって、気圧作動式方立１８の底部と仮の静荷重支持部品を接合する。
（２）方立１８の頂部を予定位置の周辺に置く、方立連結部１７のメスジョイント２８と対応する方立１８のオスジョイント２９を接合する。
（３）方立連結部１７を方立１８の頂部からアンカー装置１６まで摺動する。
（４）方立連結部１７と設置したアンカー装置１６を接合することで、ファスナーを使わずに３つ方向の公差を自動的に調整する。
（５）締結位置に静荷重支持部品が必要である場合、静荷重ブロック１７Ａと方立１８を接合し、静荷重ブロック１７Ａを方立連結部１７の頂部まで摺動して、且つ２つのねじによって方立１８にロックする。
【００３３】
図３は、従来のスティック式方立３９に設けられる本発明のアダプタ３０を有する方立アンカーシステムをしっかり締結する状態を示す平面図である。アダプタ３０は、ティック式方立３９の側辺に接合するための遠位端部凹孔、方立連結部に可摺動に締結するための複数のジョイントを有する近接端部凹孔を備える。アダプタ３０は、複数ファスナー３１によって構造的に方立３９に固定する。静荷重ブロック１７Ａは、図５に示すように、２つのファスナーによってアダプタ３０に固定する。図４に示すように、静荷重ブロック１７Ａの底部が方立連結部１７の頂部に当接する。最大許容範囲の外部側床スラブの辺縁線１４がスティック式方立３９の裏面に沿っている以外、他の機能は図１の記載と同様である。
【００３４】
図４は、従来のスティック式方立３９に設けられるアダプタ３０を有する方立アンカーシステムの方立設置工程を示す側面図である。図１の説明と同じように、乾燥したアンカー装置１６を床スラブに固定した後、次の工程として、３つ方向の公差を自動的に調整しながら方立を設置する。
（１）方立連結部１７を下に移動して設置したアンカー装置に締結する。
（２）アダプタ３０、及び工場で予めにロックされる静荷重ブロック１７Ａを下に移動して方立連結部１７に締結する。
（３）スティック式方立３９を方向１に移動してアダプタ３０内に締結する。
（４）方立３９の静荷重が一時的に正確な上下位置に支持されることを確認した後、方立３９を方向１に押してアダプタ３０に緊密に接する。そして、図３に示すように、方立３９をファスナー３０によってアダプタ３０に固定する。
【００３５】
図５は、アダプタ３０を示す等軸測視図であり、前記アダプタ３０は、工場で予めに設置される静荷重ブロック１７Ａを有する。静荷重ブロック１７Ａは、２つのファスナー５１によってアダプタ３０の頂部に固定される。ファスナー５１は、工場で予めに設置されてもよい。
【００３６】
図６は、従来のユニット式方立６３に設けられる本発明のアダプタ３０を有する方立アンカーシステムを示す平面図である。アダプタは、ユニット式方立６３の側辺に接合するための遠位端部凹孔、及び方立連結部１７に締結するための複数のジョイントを有する近接端部凹孔６４を備える。ユニット式方立は、現場で垂直密封ジョイントによって左半方立と右半方立を結合することによって形成できる。図６において、ユニット式方立６３が有するオープンジョイントを概念的に示す。現場で形成したユニット式方立６３の幅は、パネルの設置公差に応じて変更できる。普通、工業上において、許容できる設置公差は±１／８”（又は±３２ｍｍ）である。そのため、図８に示すように、アダプタ６０に接合する遠位端部凹孔の幅「Ｗ」は、ユニット式方立の理論的な幅より１／８”大きくなければならない。必要に応じ、図に示すシム６２を利用してパネルの公差を減少してもよい。ファスナー６１は、アダプタ６０をユニット式方立６３に固定するために用いられる。構造的な抜出強度を維持するために、方立連結部１７に接合するための凹孔６４の幅は、好ましくは、図に示す方立６０に接合するための接合凹孔の幅より小さい。その他の機能は図３の記載と同様である。
【００３７】
図７は、従来のユニット式方立６３に設けられるアダプタ６０を有する方立アンカーシステムの方立の設置工程を示す側面図である。図１の説明と同じように、アンカー装置１６を床スラブに固定した後、方立６３の両側に仮のパネル静荷重支持部品を利用して、現場でユニット式方立６３を形成する。次の工程として、３つ方向の公差を自動的に調整しながら方立を設置する。
（１）方立連結部１７を下に移動して設置したアンカー装置１６に締結する。
（２）方立連結部１７の上方に位置するアダプタ６０、及び工場で予めにロックされる静荷重ブロック１７Ａを方向２に移動し、現場で形成したユニット式方立６３に接合する。
（３）方立６３と締結しているアダプタ６０を下に移動して方立ジョイント１７に接合する。
（４）方立６３を方向３に押してアダプタ６０に緊密に接する。必要に応じ、図６に示すシム６２を設けてもよい。そして、図６に示すように、方立６３をファスナー６１によってアダプタ６０に固定する。
【００３８】
図８は、静荷重ブロック１７Ａを有するアダプタ６０を示す等軸測視図である。静荷重ブロック１７Ａは、現場で２つのファスナー８１によってアダプタ６０の頂部に固定される。ユニット式方立６３に接合するための凹孔の幅「Ｗ」は、ユニット式方立６３の最大許容範囲の現場形成幅である。
【００３９】
図９は、設置した方立アンカーシステムを示す平面図である。前記方立アンカーシステムは、床スラブの辺縁位置に対して公差が外れた状況に用いられる。一般的な状況では、大部分の方立の実際な際辺縁が距離Ｄの許容範囲内に位置する。そのため、図１に示す方立アンカーシステムを使用できる。しかしながら、公差外れの状況もある。
【００４０】
１つの外側公差外れの状況として、公差距離「Ｄｏ」が外れた実際な床スラブの線１４Ａで示す。下記２つの方法で解決できる。１つ目の方法は、図１に示すアンカーシステム全体及び方立を外側に距離「Ｄｏ」を押すことで、方立１８の裏面を実際な床スラブの辺縁線１４Ａに当接する方法である。前記方法は、方立と壁面との垂直性に影響を及ばす。
【００４１】
２つ目の方法は、現場で前記位置の床スラブに対して公差が外れた部分を切断する。このような状況は、測量線１１から実際な床スラブの辺縁までの距離を測定することによって確認できる。現場での測定は、アンカー装置を床スラブに固定する前に行わなければならない。
【００４２】
１つの内側公差外れの状況として、公差距離「Ｄｉ」が外れた実際な床スラブの線１５Ａで示す。このような状況は、アンカー装置を床スラブに締結する前に、実際な床スラブの辺縁線１５Ａの前表面線１５に対する耐荷重リップ２１の位置によって確認できる。線１５が実際な床スラブの辺縁線１５Ａの外側に位置する場合、このような状況に属する。前記状況を解決する方法としては、方立連結部１７の近接端部と類似する形状を有する構造性延長部１７Ｂを使用して、それをアンカー装置１６に接続する。方立連結部１７の近接端部に接続できるように構造性延長部１７Ｂの遠位端部の形状を設計する。図に示すように、延長部１７Ｂを利用すると、耐荷重リップ１５Ｂの前表面が実際な床スラブの辺縁線１５Ａの前の床スラブに位置する。それによって前記問題を解決できる。図に示すように、方立連結部１７と延長部１７Ｂとの間の構造的な接続は、好ましい解決方法の１つである。非常に大きな公差外れ距離「Ｄｉ」を有する場合、複数の延長部１７Ｂを使用することで、複数の延長部１７Ｂの方立連結部１７の設置高さを得て、方立１８における内部偶力（ｉｎｔｅｒｎａｌ  ｆｏｒｃｅ  ｃｏｕｐｌｅｓ）を減少できる。例えば、米国特許公報特許第９，６８３，３６７号及び米国特許公開第２０１７／０２４１１３３号の内容を参考できる。アンカー装置１６は、コンクリートアンカー部１９（図１を参照）によって内側に構造上合理的な位置に移動できる。このような設計は、構造劣化した既存の床スラブの辺縁改修仕事に利用できる。
【００４３】
図１０は、延長部１８Ｂを有する方立連結部１７を示す平面図である。方立連結部１７とアダプタ１７Ｂを構造的に接続し、その間に存在する水平力に対抗できる。なお、少なくとも１つのファスナー９１によってそれらを固定し、その間に存在する静荷重の反力に対抗できる。
【００４４】
本発明の素子は、上記説明した特定の材料、形状又は接合方向に限定されない。上記工事構造及びその方法に基づいて、本発明の思想から逸脱しない範囲での全ての変更は、当業者にとって自明であり、本発明の範囲に含む。例えば、複数の図に示す実施例は、傾斜している方立に締結する場合に用いられる。本発明の範囲は、上記実施例に限定されていない。
【符号の説明】
【００４５】
１、２、３  方向
１０  方立アンカーシステム
１１  参考線
１２  方立の中心線
１３、１４、１５  線
１４Ａ  床スラブの線
１５Ａ  実際の床スラブの辺縁線
１５Ｂ  耐荷重リップ
１６  アンカー装置
１７  方立連結部
１７Ａ  静荷重ブロック
１７Ｂ  延長部
１８  方立
１９  コンクリートアンカー部
２０  水平の第１脚部
２１  耐荷重リップ
２２  ファスナー孔
２３  ノッチ
２４  ウエブ部
２５  耐負風圧第１脚部
２６  耐正風圧第１脚部
２７  隙間
２８  メスジョイント
２９  オスジョイント
３０、６０  アダプタ
３１、５１、６１、８１、９１  ファスナー
３９  スティック式方立
６２  シム
６３  ユニット式方立
６４  凹部
Ａ  長さ
Ｂ  幅
Ｃ  厚さ
Ｄ  距離
Ｄ１  外部公差
Ｄ２  内部公差
Ｄｏ、Ｄｉ  公差外れ距離
Ｅ  厚さ
Ｇ  間隔
Ｈ  高さ
Ｗ  幅
【図１】
2020533507.tif 000003
【図２】
2020533507.tif 000004
【図３】
2020533507.tif 000005
【図４】
2020533507.tif 000006
【図５】
2020533507.tif 000007
【図６】
2020533507.tif 000008
【図７】
2020533507.tif 000009
【図８】
2020533507.tif 000010
【図９】
2020533507.tif 000011
【図１０】
2020533507.tif 000012
【国際調査報告】
2020533507.tif 000013
2020533507.tif 000014